(57)【要約】【課題】柔軟に編集処理を行うことが可能な自動プレビュー技術を提供する。【解決手段】画像形成装置は、各種情報を表示するとともにユーザからの操作入力を受け付けるタッチパネル２５と、自動プレビューを実行する動作制御手段とを備える。自動プレビューにおいては、画像形成動作に係る複数のページＰＧ１，ＰＧ２，ＰＧ３，...の複数のプレビュー画像ＳＧ１，ＳＧ２，ＳＧ３，...が当該画像形成動作と並行して順次に且つ自動的にタッチパネル２５に表示される。動作制御手段は、自動プレビュー中にタッチパネル２５に表示されているプレビュー画像ＳＧ３に対するジェスチャ操作（フリック操作等）が受け付けられると、当該ジェスチャ操作に応じてプレビュー画像に対する編集処理（ページ削除処理等）を実行する。【選択図】図８
2014230211.tif 000002
【特許請求の範囲】
【請求項１】
各種情報を表示するとともにユーザからの操作入力を受け付けるユーザインターフェイス部と、
画像形成動作に係る複数のページの複数のプレビュー画像を前記画像形成動作と並行して順次に且つ自動的に前記ユーザインターフェイス部に表示する自動プレビューを実行する動作制御手段と、
を備え、
前記動作制御手段は、前記自動プレビュー中に前記ユーザインターフェイス部に表示されているプレビュー画像に対するジェスチャ操作が受け付けられると、前記ジェスチャ操作に応じて前記プレビュー画像に関する編集処理を実行することを特徴とする画像形成装置。
【請求項２】
請求項１に記載の画像形成装置において、
前記ユーザインターフェイス部は、前記プレビュー画像に対するフリック操作を前記ジェスチャ操作として受け付け、
前記動作制御手段は、前記プレビュー画像の対応ページを削除するページ削除処理を前記フリック操作に応じて実行することを特徴とする画像形成装置。
【請求項３】
請求項１に記載の画像形成装置において、
前記ユーザインターフェイス部は、前記プレビュー画像に対するタップ操作を前記ジェスチャ操作として受け付け、
前記動作制御手段は、前記タップ操作に応じて、前記自動プレビュー終了後における編集処理対象であることを示すフラグ情報を、前記プレビュー画像の対応ページに対して設定することを特徴とする画像形成装置。
【請求項４】
請求項２に記載の画像形成装置において、
前記ユーザインターフェイス部は、前記プレビュー画像に対するタップ操作を受け付け、
前記動作制御手段は、前記タップ操作に応じて前記自動プレビューを停止することを特徴とする画像形成装置。
【請求項５】
請求項２ないし請求項４のいずれかに記載の画像形成装置において、
前記ユーザインターフェイス部は、前記プレビュー画像に対するピンチアウト操作を受け付け、
前記動作制御手段は、前記ピンチアウト操作に応じて、前記自動プレビューにおける前記プレビュー画像を拡大表示することを特徴とする画像形成装置。
【請求項６】
請求項２ないし請求項４のいずれかに記載の画像形成装置において、
前記ユーザインターフェイス部は、前記プレビュー画像に対するピンチイン操作を受け付け、
前記動作制御手段は、前記ピンチイン操作に応じて、前記自動プレビューにおける前記プレビュー画像を縮小表示することを特徴とする画像形成装置。
【請求項７】
請求項６に記載の画像形成装置において、
前記動作制御手段は、前記ピンチイン操作に応じて、前記自動プレビューにおける前記プレビュー画像を縮小表示するとともに、前記プレビュー画像の前の画像形成対象画像と前記プレビュー画像の次の画像形成対象画像とのうちの少なくとも一方をもプレビュー表示することを特徴とする画像形成装置。
【請求項８】
請求項１ないし請求項７のいずれかに記載の画像形成装置において、
前記画像形成装置は、
前記複数のページに係る原稿を光学的に順次に読み取る画像読取手段、
をさらに備え、
前記画像形成動作は、前記複数のページの原稿読取動作を含み、
前記動作制御手段は、前記画像読取手段による前記複数のページに関する原稿読取動作と並行して、前記複数のページに関する前記複数のプレビュー画像を自動的に順次に表示することを特徴とする画像形成装置。
【請求項９】
請求項１ないし請求項７のいずれかに記載の画像形成装置において、
前記画像形成装置は、
前記複数のページを順次に印刷出力する印刷出力手段、
をさらに備え、
前記画像形成動作は、前記複数のページの印刷出力動作を含み、
前記動作制御手段は、前記印刷出力手段による前記複数のページに関する印刷出力動作と並行して、前記複数のページに関する前記複数のプレビュー画像を自動的に順次に表示することを特徴とする画像形成装置。
【請求項１０】
画像形成装置に内蔵されたコンピュータに、
ａ）画像形成動作に係る複数のページの複数のプレビュー画像を前記画像形成動作と並行して順次に且つ自動的に前記画像形成装置のユーザインターフェイス部に表示する自動プレビュー中において、前記ユーザインターフェイス部に表示されているプレビュー画像に対するジェスチャ操作を受け付けるステップと、
ｂ）前記ジェスチャ操作に応じて前記プレビュー画像に関する編集処理を実行するステップと、
を実行させるためのプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
複数のページにわたる原稿を読み取って複数のスキャン画像を生成する画像形成動作において、当該複数のページに関する複数のスキャン画像の生成動作（画像形成動作）と並行して、複数のスキャン画像をプレビュー画像として順次に且つ自動的に表示する技術が存在する（特許文献１参照）。このようなプレビュー技術は、リアルタイムプレビューあるいは自動プレビューなどとも称される。
【先行技術文献】
【特許文献】
【０００３】
【特許文献１】特開２０１２−２５３５４８号公報
【発明の概要】
【発明が解決しようとする課題】
【０００４】
上述のように、このような自動プレビュー動作においては、当該複数のページにわたる複数のプレビュー画像が一定時間間隔で順次に且つ自動的に表示される。そして、当該複数のページに関する編集作業を行う場合には、当該複数のページに関するスキャン画像の生成動作が終了し且つ自動プレビュー動作が終了するのを待たなくてはならない。
【０００５】
したがって、たとえば、複数のページのうちユーザが不要であると判定したページ（不要判定ページ）がＭＦＰによって読み取られたことをユーザが自動プレビューを見て確認した場合であっても、当該確認時点では、ユーザは当該不要判定ページの削除動作を行うことができない。換言すれば、全ページの自動プレビューが終了した後にのみ、ユーザは当該不要判定ページの削除動作（編集動作）を行うことが可能である。たとえば、ユーザは、自動プレビュー時にはページ番号を記憶しておき、全ページの自動プレビュー終了後に当該不要判定ページの削除操作を行うことによって、当該不要判定ページの削除動作（編集動作）を行うことができる。
【０００６】
しかしながら、このような編集作業は、全ページに関する自動プレビューの終了を待つことを要するなど、必ずしも効率的な作業であるとは言えない。
【０００７】
なお、特許文献１の技術（特許文献１の段落００９４−０１０１等参照）では、特定原稿（白紙原稿）として抽出された特定ページに関連して表示されたアイコンを自動プレビュー中に操作することによって、当該特定ページの内容を直ちに確認することは可能である。しかしながら、白紙原稿として抽出されなかったページ（非特定ページ）に関する編集操作は、全てのページのプレビュー表示が終了するまで、実行され得ない。このように、特許文献１の技術は、全てのページのうち一部のページのみに対してアイコン操作が受け付けられるに止まり、ユーザ操作可能ページに制限が存在するなど、必ずしも十分なものではない。
【０００８】
そこで、この発明は、より柔軟に編集処理を行うことが可能な自動プレビュー技術を提供することを課題とする。
【課題を解決するための手段】
【０００９】
上記課題を解決すべく、請求項１の発明は、画像形成装置であって、各種情報を表示するとともにユーザからの操作入力を受け付けるユーザインターフェイス部と、画像形成動作に係る複数のページの複数のプレビュー画像を前記画像形成動作と並行して順次に且つ自動的に前記ユーザインターフェイス部に表示する自動プレビューを実行する動作制御手段と、を備え、前記動作制御手段は、前記自動プレビュー中に前記ユーザインターフェイス部に表示されているプレビュー画像に対するジェスチャ操作が受け付けられると、前記ジェスチャ操作に応じて前記プレビュー画像に関する編集処理を実行することを特徴とする。
【００１０】
請求項２の発明は、請求項１の発明に係る画像形成装置において、前記ユーザインターフェイス部は、前記プレビュー画像に対するフリック操作を前記ジェスチャ操作として受け付け、前記動作制御手段は、前記プレビュー画像の対応ページを削除するページ削除処理を前記フリック操作に応じて実行することを特徴とする。
【００１１】
請求項３の発明は、請求項１の発明に係る画像形成装置において、前記ユーザインターフェイス部は、前記プレビュー画像に対するタップ操作を前記ジェスチャ操作として受け付け、前記動作制御手段は、前記タップ操作に応じて、前記自動プレビュー終了後における編集処理対象であることを示すフラグ情報を、前記プレビュー画像の対応ページに対して設定することを特徴とする。
【００１２】
請求項４の発明は、請求項２の発明に係る画像形成装置において、前記ユーザインターフェイス部は、前記プレビュー画像に対するタップ操作を受け付け、前記動作制御手段は、前記タップ操作に応じて前記自動プレビューを停止することを特徴とする。
【００１３】
請求項５の発明は、請求項２ないし請求項４のいずれかの発明に係る画像形成装置において、前記ユーザインターフェイス部は、前記プレビュー画像に対するピンチアウト操作を受け付け、前記動作制御手段は、前記ピンチアウト操作に応じて、前記自動プレビューにおける前記プレビュー画像を拡大表示することを特徴とする。
【００１４】
請求項６の発明は、請求項２ないし請求項４のいずれかの発明に係る画像形成装置において、前記ユーザインターフェイス部は、前記プレビュー画像に対するピンチイン操作を受け付け、前記動作制御手段は、前記ピンチイン操作に応じて、前記自動プレビューにおける前記プレビュー画像を縮小表示することを特徴とする。
【００１５】
請求項７の発明は、請求項６の発明に係る画像形成装置において、前記動作制御手段は、前記ピンチイン操作に応じて、前記自動プレビューにおける前記プレビュー画像を縮小表示するとともに、前記プレビュー画像の前の画像形成対象画像と前記プレビュー画像の次の画像形成対象画像とのうちの少なくとも一方をもプレビュー表示することを特徴とする。
【００１６】
請求項８の発明は、請求項１ないし請求項７のいずれかの発明に係る画像形成装置において、前記画像形成装置は、前記複数のページに係る原稿を光学的に順次に読み取る画像読取手段、をさらに備え、前記画像形成動作は、前記複数のページの原稿読取動作を含み、前記動作制御手段は、前記画像読取手段による前記複数のページに関する原稿読取動作と並行して、前記複数のページに関する前記複数のプレビュー画像を自動的に順次に表示することを特徴とする。
【００１７】
請求項９の発明は、請求項１ないし請求項７のいずれかの発明に係る画像形成装置において、前記画像形成装置は、前記複数のページを順次に印刷出力する印刷出力手段、をさらに備え、前記画像形成動作は、前記複数のページの印刷出力動作を含み、前記動作制御手段は、前記印刷出力手段による前記複数のページに関する印刷出力動作と並行して、前記複数のページに関する前記複数のプレビュー画像を自動的に順次に表示することを特徴とする。
【００１８】
請求項１０の発明は、画像形成装置に内蔵されたコンピュータに、ａ）画像形成動作に係る複数のページの複数のプレビュー画像を前記画像形成動作と並行して順次に且つ自動的に前記画像形成装置のユーザインターフェイス部に表示する自動プレビュー中において、前記ユーザインターフェイス部に表示されているプレビュー画像に対するジェスチャ操作を受け付けるステップと、ｂ）前記ジェスチャ操作に応じて前記プレビュー画像に関する編集処理を実行するステップと、を実行させるためのプログラムであることを特徴とする。
【発明の効果】
【００１９】
請求項１ないし請求項１０に記載の発明によれば、自動プレビュー中にユーザインターフェイス部に表示されているプレビュー画像に対するジェスチャ操作が受け付けられると、当該ジェスチャ操作に応じてプレビュー画像に関する編集処理が実行されるので、全ページの自動プレビューの終了を待つことを要さず、より柔軟に編集処理を行うことが可能である。
【００２０】
特に、請求項２に記載の発明によれば、自動プレビュー中のフリック操作によって、任意のページを非常に容易に削除することが可能である。
【００２１】
特に、請求項３に記載の発明によれば、編集処理対象を選択するためのマーキング動作を自動プレビュー中に行っておくことができるので、柔軟且つ効率的な編集処理を行うことが可能である。
【図面の簡単な説明】
【００２２】
【図１】画像形成装置の外観を示す図である。
【図２】画像形成装置の機能ブロックを示す図である。
【図３】操作パネル部を示す図である。
【図４】自動プレビューを示す図である。
【図５】自動プレビューを示す図である。
【図６】自動プレビューを示す図である。
【図７】自動プレビューを示す図である。
【図８】フリック操作が受け付けられる様子を示す図である。
【図９】ピンチイン操作が受け付けられる様子を示す図である。
【図１０】縮小表示状態を示す図である。
【図１１】縮小表示状態を示す図である。
【図１２】縮小表示状態を示す図である。
【図１３】ピンチアウト操作が受け付けられる様子を示す図である。
【図１４】拡大表示状態を示す図である。
【図１５】タップ操作が受け付けられる様子を示す図である。
【図１６】ジェスチャ操作に応じた動作を示すフローチャートである。
【図１７】変形例に係る縮小表示状態を示す図である。
【図１８】変形例に係る縮小表示状態を示す図である。
【図１９】変形例に係る縮小表示状態を示す図である。
【発明を実施するための形態】
【００２３】
以下、本発明の実施形態を図面に基づいて説明する。
【００２４】
＜１．構成概要＞
図１は、画像形成装置１０の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００２５】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００２６】
画像読取部（スキャン部とも称される）２は、ＭＦＰ１０の所定の位置に載置された原稿（スキャン処理の処理対象文書）を光学的に読み取って（すなわちスキャンして）、当該原稿の画像データ（原稿画像なしいスキャン画像とも称する）を生成する処理部である。画像読取部２は、原稿自動送り装置 (ＡＤＦ：Auto Document Feeder)を有し、原稿の複数のページを順次に且つ自動的に読み取ることが可能である。画像読取部２は、スキャン画像を形成する画像形成部であるとも表現される。
【００２７】
印刷出力部３は、印刷対象に関するデータに基づいて紙などの各種の媒体に画像を印刷出力する出力部である。印刷出力部３は、印刷媒体上に画像（印刷画像）を形成する画像形成部であるとも表現される。印刷出力部３は、格納部５に格納された電子文書ファイルの複数のページに関する印刷出力を行うことも可能である。
【００２８】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。
【００２９】
格納部５は、ハードディスクドライブ（ＨＤＤ）等の記憶装置で構成される。格納部５は、印刷ジョブに係るデータ等を記憶する。また、格納部５には各種の電子文書ファイルも格納される。
【００３０】
操作部（ユーザインターフェイス部とも称する）６は、ＭＦＰ１０に対する入力を受け付ける操作入力部６ａと、各種情報の表示出力を行う表示部６ｂとを備えている。
【００３１】
このＭＦＰ１０においては、略板状の操作パネル部６ｃ（図１参照）が設けられている。また、操作パネル部６ｃは、その正面側にタッチパネル２５（図１参照）を有している。タッチパネル２５は、液晶表示パネルに圧電センサ等が埋め込まれて構成され、各種情報を表示するとともに操作者からの操作入力を受け付けることが可能である。たとえば、タッチパネル２５においては、メニュー画像（ボタン画像等を含む）が表示される。操作者は、タッチパネル２５内に仮想的に配置されるボタン（ボタン画像で表現されるボタン）を押下することによって、画像形成装置１０の各種動作内容を設定することなどが可能である。また、タッチパネル２５においては、後述するプレビュー画像（スキャン画像あるいは印刷画像等）が表示される。操作者は、プレビュー画像に対するジェスチャ操作を行うことによって、プレビューに関する各種の変更操作を行うことが可能である。タッチパネル２５は、操作入力部６ａの一部としても機能するとともに、表示部６ｂの一部としても機能する。
【００３２】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラム（詳細にはプログラムモジュール群）ＰＧ１は、ＵＳＢメモリなどの可搬性の記録媒体、あるいはネットワークＮＷ等を介してＭＦＰ１０にインストールされてもよい。
【００３３】
具体的には、図２に示すように、コントローラ９は、プログラムＰＧ１の実行により、入力制御部１１と表示制御部１２と動作制御部１５とを含む各種の処理部を実現する。
【００３４】
表示制御部１２は、表示部６ｂ（タッチパネル２５等）における表示動作を制御する処理部である。表示制御部１２は、タッチパネル２５に各種の情報（後述するプレビュー画像等を含む）を表示する動作等を制御する。
【００３５】
入力制御部１１は、操作入力部６ａ（タッチパネル２５等）に対するユーザからの操作入力（ジェスチャ操作等）の受付動作等を制御する処理部である。
【００３６】
動作制御部１５は、入力制御部１１および表示制御部１２などと協働して、タッチパネル２５におけるプレビュー動作（自動プレビュー動作等）およびページ編集動作等を制御する処理部である。たとえば、動作制御部１５は、タッチパネル２５における「自動プレビュー」（後述）を実行する。
【００３７】
＜２．動作＞
図３は、操作パネル部６ｃを示す図である。以下では、当該操作パネル部６ｃのタッチパネル２５に自動プレビューが表示されるとともに、自動プレビュー中のプレビュー画像に対するジェスチャ操作によって各種の操作が行われる態様について、さらに詳細に説明する。「自動プレビュー」は、画像形成動作（たとえば、スキャン動作あるいは印刷出力動作）に係る複数のページの複数のプレビュー画像を当該画像形成動作と並行して順次に且つ自動的に表示部に表示するプレビュー動作である。この自動プレビューは、画像形成動作の実行時点に近い時点にて、ほぼ即時に（ほぼリアルタイムで）行われることから、「リアルタイムプレビュー」などとも表現される。ここでは、スキャン画像の形成動作に関する自動プレビュー動作について説明する。この自動プレビュー動作においては、スキャン動作に係る複数のページの複数のプレビュー画像が、スキャン動作と並行して順次に且つ自動的にタッチパネル２５に表示される。
【００３８】
詳細には、複数のページで構成される原稿が画像読取部２の原稿自動送り装置に載置され、スキャン動作がスキャン開始指示に応答して開始される（時刻Ｔ１）（図１６のステップＳ１１も参照）と、原稿を構成する複数のページが画像読取部２によって順次に読み取られ、当該複数のページに対応する各スキャン画像が順次に形成される。たとえば、時間間隔ΔＴａで複数のスキャン画像が順次に形成される。また、このような複数のスキャン画像の形成動作と並行して、生成された複数のスキャン画像が順次にタッチパネル２５に表示される。たとえば、表示時間間隔ΔＴｂ（１秒〜数秒程度）で複数のスキャン画像が順次にタッチパネル２５に表示される。これらのスキャン画像は、最終的な格納データ（最終的に格納部５に格納されるべきデータ）として確定される前に表示されるものであることから、当該スキャン画像の表示動作は「プレビュー」とも表現され、当該スキャン画像は、「プレビュー」画像とも表現される。
【００３９】
図４〜図７は、このような自動プレビューを示す図である。
【００４０】
原稿の第１ページＰＧ１が画像読取部２等によって読み取られてスキャン画像ＳＧ１が生成されると、当該スキャン画像ＳＧ１がタッチパネル２５に表示される。図４は、第１ページＰＧ１のスキャン画像ＳＧ（ＳＧ１）がタッチパネル２５に表示されている様子を示す図である。
【００４１】
また、原稿の第２ページＰＧ２が画像読取部２等によって読み取られてスキャン画像ＳＧ２が生成された後において、当該スキャン画像ＳＧ２がタッチパネル２５に表示される。図５は、第２ページＰＧ２のスキャン画像ＳＧ（ＳＧ２）がタッチパネル２５に表示されている様子を示す図である。図５においては、最新ページＰＧ２のスキャン画像ＳＧ２が、当該スキャン画像ＳＧ２よりも前に形成されていたスキャン画像ＳＧ１に対して重畳されて表示されている。すなわち、最新のスキャン画像ＳＧ２が最も手前側に表示されている。
【００４２】
さらに、原稿の第３ページＰＧ３が画像読取部２等によって読み取られてスキャン画像ＳＧ３が生成された後において、当該スキャン画像ＳＧ３がタッチパネル２５に表示される。図６は、第３ページＰＧ３のスキャン画像ＳＧ（ＳＧ３）がタッチパネル２５に表示されている様子を示す図である。図６においては、最新のページＰＧ３のスキャン画像ＳＧ３が、当該スキャン画像ＳＧ３よりも前に形成されていたスキャン画像ＳＧ１，ＳＧ２に対して重畳されて表示されている。すなわち、最新のスキャン画像ＳＧ３が最も手前側に表示されている。
【００４３】
このように、原稿の第ｎページＰＧｎが画像読取部２等によって読み取られてスキャン画像ＳＧｎが生成された後においては、当該スキャン画像ＳＧｎがタッチパネル２５に表示される。図７は、第ｎページＰＧｎのスキャン画像ＳＧ（ＳＧｎ）がタッチパネル２５に表示されている様子を示す図である。図７においては、最新のページＰＧｎのスキャン画像ＳＧｎが、当該スキャン画像ＳＧｎよりも前に形成されていたスキャン画像ＳＧ１，...，ＳＧ（ｎ−１）に対して重畳されて表示されている。すなわち、最新のスキャン画像ＳＧｎが最も手前側に表示されている。
【００４４】
なお、スキャン画像の形成時間間隔ΔＴａとスキャン画像の表示時間間隔ΔＴｂとは、互いに同一であってもよいが、互いに異なっていても良い。換言すれば、スキャン画像の形成タイミングとスキャン画像の表示タイミングとは独立したものであってもよい。具体的には、スキャン画像の表示時間間隔ΔＴｂ（たとえば、２秒）は、スキャン画像の形成時間間隔ΔＴａ（たとえば、１秒）より大きくてもよい。表示時間間隔ΔＴｂを比較的大きな値に設定することによれば、操作者がスキャン画像を確実に視認することが可能である。また、各時間間隔ΔＴａ，ΔＴｂは、それぞれ、必ずしも一定の時間間隔でなくてもよい。
【００４５】
この実施形態においては、このような自動プレビュー中において、操作者からのジェスチャ操作に応じた各種の動作が行われる。具体的には、自動プレビュー中において、タッチパネル２５に表示されているプレビュー画像に対して操作者によるジェスチャ操作が行われ、当該ジェスチャ操作がタッチパネル２５等によって受け付けられると、その操作内容（ジェスチャ操作内容）に応じた動作（プレビュー画像に関する編集処理等）が実行される。以下では、ジェスチャ操作として４種類の操作（フリック操作、ピンチイン操作、ピンチアウト操作、タップ操作（ここではシングルタップ操作））が受け付けられ得る場合について、図１６のフローチャートをも参照しながら説明する。
【００４６】
具体的には、ステップＳ１１（図１６）の自動プレビューの開始後において、ステップＳ１２，Ｓ１３の待機ループ処理が行われる。
【００４７】
まず、ステップＳ１２において、自動プレビューが未だ終了していないと判定されると、ステップＳ１３に進む。ステップＳ１３において、ジェスチャ操作が受け付けられていない旨が判定されるとステップＳ１２に戻る。なお、ステップＳ１２において、全てのページに関する自動プレビューが終了した旨が判定されると、図１６のフローチャートの処理は終了する。
【００４８】
一方、ステップＳ１３において、ジェスチャ操作が受け付けられた旨が判定されると、ステップＳ２１に進む。ステップＳ２１，Ｓ２３，Ｓ２５，Ｓ２７においては、４種類のジェスチャ操作の操作内容（種類）の判定処理が行われる。
【００４９】
ステップＳ２１において、ジェスチャ操作としてフリック操作が受け付けられた旨が判定される場合には、当該フリック操作に応じて、動作制御部１５は、当該フリック操作の対象のスキャン画像を削除する削除処理を実行する（ステップＳ２２）。この削除処理は、当該フリック操作の対象画像（プレビュー画像）の対応ページを削除するページ削除処理であるとも表現される。
【００５０】
たとえば、図８に示すように、第３ページＰＧ３のスキャン画像ＳＧ３に対するフリック操作が行われた場合には、格納対象とすべき画像群から、第３ページＰＧに関する当該スキャン画像ＳＧ３が除外（削除）される。すなわち、第３ページＰＧに関するページ削除処理が行われる。
【００５１】
なお、その後、第４ページＰＧ４以降の自動プレビュー動作が続行される。ただし、その場合、第３ページＰＧ３が削除されることに伴って、次の第４ページＰＧ４は、（第３ページＰＧ３のスキャン画像ＳＧ３ではなく）第２ページＰＧ２のスキャン画像ＳＧ２の上に重畳して表示される。このような動作が引き続いて行われる結果、第１ページＰＧ１から第１０ページＰＧ１０で構成される原稿のうち、第３ページＧＰＧ３のスキャン画像ＳＧ３に対するフリック操作のみが行われた場合には、第３ページＰＧ３を除く複数のページＰＧ１，ＰＧ２，ＰＧ４，ＰＧ５，...，ＰＧ１０のスキャン画像ＳＧ１，ＳＧ２，ＳＧ４，ＳＧ５，...，ＳＧ１０が格納対象画像として決定される。
【００５２】
また、ステップＳ２３において、ジェスチャ操作としてピンチイン操作が受け付けられた旨が判定される場合には、当該ピンチイン操作に応じて、動作制御部１５は、当該ピンチイン操作の対象のスキャン画像（プレビュー画像）を縮小表示する縮小処理等を実行する（ステップＳ２４）。また、動作制御部１５は、縮小処理に伴って増大した空きスペースを利用して、他のページ（たとえば、当該プレビュー画像よりも前のページ）のスキャン画像をも縮小状態でプレビュー表示（縮小表示）する。
【００５３】
たとえば、図９に示すように、第３ページＰＧ３のスキャン画像ＳＧ３に対するピンチイン操作が行われた場合には、動作制御部１５は、当該スキャン画像ＳＧ３を縮小する。そして、縮小処理に伴って増大した空きスペースに、当該スキャン画像ＳＧ３の前（直前）のページＰＧ２のスキャン画像ＳＧ２（スキャン画像ＳＧ３の前の画像形成対象画像とも称される）も縮小表示（プレビュー表示）される（図１０参照）。図１０においては、スキャン画像ＳＧ３がタッチパネル２５の中央に表示されるとともに、スキャン画像ＳＧ２がスキャン画像ＳＧ３の左側に表示されている。
【００５４】
また、その後、自動プレビュー動作が進行し、第４ページＰＧ４のスキャン画像ＳＧ４が、スキャン画像ＳＧ３の表示開始時点（スキャン画像ＳＧ３がタッチパネル２５に最初に表示された時点）から所定時間ΔＴｂの経過後に動作制御部１５によって自動的に表示される（図１１参照）。第３ページＰＧ３のスキャン画像ＳＧ３およびその前のスキャン画像ＳＧ２は、それぞれ、左側にスライド移動して表示される。この結果、複数のスキャン画像ＳＧ２，ＳＧ３，ＳＧ４が水平方向に配列されて表示される。このとき、各画像は、タッチパネル２５において、引き続き縮小された状態で（より詳細には縮小後のスキャン画像ＳＧ３と同じ縮小倍率で）表示される。なお、スキャン画像ＳＧ４の表示開始は、スキャン画像ＳＧ３の縮小表示開始時点（ピンチイン操作に応じて縮小表示が開始された時点）から所定時間ΔＴｂの経過後に行われてもよい。
【００５５】
さらに、その後、自動プレビュー動作が進行し、第５ページＰＧ５のスキャン画像ＳＧ５が、スキャン画像ＳＧ４の表示開始時点から所定時間ΔＴｂの経過後に動作制御部１５によって自動的に表示される（図１２参照）。スキャン画像ＳＧ５は最も右側に表示され、第４ページＰＧ４のスキャン画像ＳＧ４およびその前のスキャン画像ＳＧ３は、左側にスライド移動して表示される。この結果、複数のスキャン画像ＳＧ３，ＳＧ４，ＳＧ５が水平方向に配列されて縮小状態で表示される。このように、縮小状態の複数のページが水平方向に順次にスライドして、表示画面が更新される。
【００５６】
また、ステップＳ２５において、ジェスチャ操作としてピンチアウト操作が受け付けられた旨が判定される場合には、当該ピンチアウト操作に応じて、動作制御部１５は、当該ピンチアウト操作の対象のスキャン画像（プレビュー画像）を拡大表示する拡大処理を実行する（ステップＳ２６）。
【００５７】
たとえば、図１３に示すように第３ページＰＧ３のスキャン画像ＳＧ３に対するピンチアウト操作が行われた場合には、動作制御部１５は、当該スキャン画像ＳＧ３を拡大して表示する（図１４参照）。その後、第４ページＰＧ４のスキャン画像ＳＧ４以降の各画像は、引き続き拡大された状態で（より詳細には同じ拡大倍率で）表示される。
【００５８】
なお、縮小表示状態（図１０参照）において比較的小さな移動幅のピンチアウト操作が行われた場合には、標準表示状態（図６参照）に戻る動作が行われ、縮小表示状態（図１０参照）において比較的大きな移動幅のピンチアウト操作が行われた場合には、拡大表示状態（図１４参照）に瞬時に移行する動作が行われればよい。
【００５９】
また逆に、拡大表示状態（図１４参照）において比較的小さな移動幅のピンチイン操作が行われた場合には、標準表示状態（図６参照）に戻る動作が行われ、拡大表示状態（図１４参照）において比較的大きな移動幅のピンチアウト操作が行われた場合には、縮小表示状態（図１０参照）に瞬時に移行する動作が行われればよい（ステップＳ２４）。
【００６０】
また、ステップＳ２７において、ジェスチャ操作としてタップ操作が受け付けられた旨が判定される場合には、当該タップ操作に応じて、動作制御部１５は、当該タップ操作の対象のスキャン画像（プレビュー画像）が表示された状態において、自動プレビューの停止と再開とを切り換える処理を実行する（ステップＳ２８，Ｓ２９，Ｓ３０）。
【００６１】
たとえば、図１５に示すように、第３ページＰＧ３のスキャン画像ＳＧ３に対するタップ操作が行われた場合には、動作制御部１５は、当該スキャン画像ＳＧ３の表示状態で一旦自動プレビューを停止する（ステップＳ２８，Ｓ２９）。すなわち、スキャン画像ＳＧ３の表示開始時点から所定時間ΔＴｂが経過しても、次のスキャン画像ＳＧ４は表示されず、スキャン画像ＳＧ３が表示されたままである。換言すれば、最新プレビュー画像の更新処理が行われない。
【００６２】
その後、当該スキャン画像ＳＧ３に対するタップ操作が再び行われた場合に、動作制御部１５は、当該スキャン画像ＳＧ３の以後の自動プレビューを再開する（ステップＳ２８，Ｓ３０）。詳細には、次のスキャン画像ＳＧ４以後の各スキャン画像が所定時間間隔ΔＴｂでタッチパネル２５に順次に且つ自動的に表示される。
【００６３】
また、上記のような４種類のジェスチャ操作等は組み合わせて実行され得る。たとえば、タップ操作による一時停止動作（ステップＳ２９）が行われた後にフリック操作によるページ削除動作（ステップＳ２２）が行われ得る。また、ピンチアウト操作による拡大表示（ステップＳ２６）後にフリック操作によるページ削除動作（ステップＳ２２）が行われ得る。さらには、ピンチイン操作による縮小表示（ステップＳ２４）後にフリック操作によるページ削除動作（ステップＳ２２）が行われ得る。
【００６４】
上記のような動作によれば、自動プレビュー中において、プレビュー表示されているスキャン画像（プレビュー画像）に対するジェスチャ操作（フリック操作等）が行われると、当該ジェスチャ操作に応じて当該スキャン画像が編集される。より詳細には、複数のページのうちユーザが不要であると判定したページ（不要判定ページ）がＭＦＰによって読み取られたことをユーザが自動プレビューを見て確認した場合に、フリック操作に応じて当該不要判定ページ（スキャン画像）が削除される。すなわち、ページの削除動作は、全ページの自動プレビューの終了を待つことを要さずに行われる。特に、複数のページのうち、ユーザにより不要判定された任意のページ（白紙ページに限られない）がフリック操作に応じて削除され得るので、非常に柔軟に編集処理（ページ削除処理）を行うことが可能である。このように、効率的且つ柔軟に編集処理（ページ削除動作）を行うことが可能である。また特に、所望のページ（削除対象ページ）に対するフリック操作という簡単な操作によって、当該ページを削除することが可能である。
【００６５】
また、自動プレビュー中に、当該自動プレビューの一旦停止処理およびそれに引き続く編集処理が行われ得る。たとえば、ユーザのタップ操作に応じて次ページのプレビュー画像に自動で順次進行する動作が一旦停止（ステップＳ２７，Ｓ２８，Ｓ２９）され、その後に引き続くフリック操作に応じて当該プレビュー画像のページが削除される（ステップＳ２１，Ｓ２２）。これによれば、ユーザは、或るページのプレビュー画像をじっくりと注視して、当該ページ（詳細には当該ページのスキャン画像）を削除すべきか否か等を決定することができる。
【００６６】
さらに、自動プレビュー中の各プレビュー画像の変倍率（表示倍率）がユーザのジェスチャ操作（ピンチイン操作および／またはピンチアウト操作）によって適宜変更され得るので、ユーザは所望の大きさで各プレビュー画像を参照しつつ各ページを削除すべきか否か等を決定することができる。
【００６７】
また、自動プレビューの一旦停止中にも、各プレビュー画像の変倍率を変更することが可能である。具体的には、タップ操作によって自動プレビューを一旦停止した後、ピンチアウト操作および／またはピンチイン操作によって当該プレビュー画像の表示倍率を変更することができる。したがって、特に注視対象のプレビュー画像を適宜の大きさに変更して表示し、当該プレビュー画像のページを削除するか否か等を決定することも可能である。
【００６８】
＜３．変形例等＞
以上、この発明の実施の形態について説明したが、この発明は上記説明した内容のものに限定されるものではない。
【００６９】
たとえば、上記実施形態においては、ピンチイン操作時において、図１０に示すような画面が直ちに表示されているが、これに限定されず、図１７に示すような画面がタッチパネル２５に直ちに表示されるようにしてもよい。図１７においては、左側から順に、３つのスキャン画像ＳＧ１，ＳＧ２，ＳＧ３が配列されて表示されている。このように、最新のスキャン画像ＳＧ３が最も右側に表示され、それ以前のスキャン画像ＳＧ１，ＳＧ２が比較的左側に表示されるようにしてもよい。
【００７０】
あるいは、ピンチイン操作時において、単一のスキャン画像のみが表示（縮小表示）されるようにしてもよい。より詳細には、スキャン画像ＳＧ３に対するピンチイン操作に応じて、（その前後のスキャン画像ＳＧ２，ＳＧ４は表示されず、）単一のスキャン画像ＳＧ３のみがタッチパネル２５に縮小表示されるようにしてもよい。
【００７１】
また、上記実施形態においては、タップ操作に応じて、自動プレビューが一旦停止される態様が例示されているが、これに限定されない。たとえば、タップ操作に応じて、編集対象データ（編集処理対象であることを示すフラグ情報（マーキングデータ））が当該タップ操作の対象ページ（対応ページ）に付与（設定）されるようにしてもよい。これによれば、マーキングデータの付与処理（マーキング処理）は、全ページの自動プレビューの終了を待つことを要することなく行われる。このマーキング処理は、編集処理の第１段階であるとも表現される。そして、全てのページのスキャン画像の表示動作（すなわち全てのページのプレビュー動作）が終了した後において、編集処理対象ページに対する第２段階の編集処理（画像処理（明るさ調整処理等）あるいはページ削除処理等）が実行されるようにしてもよい。このような動作によれば、編集対象画像を選択するマーキング操作を自動プレビュー中に行っておくことができるので、柔軟且つ効率的な編集処理を行うことが可能である。また特に、マーキングデータが付与された複数のプレビュー画像に対して同一種類の編集処理が行われる場合には、マーキングされた複数のプレビュー画像に対して非常に効率的な編集処理を行うことが可能である。
【００７２】
また、上記実施形態においては、タップ操作としてシングルタップ操作を例示したが、タップ操作はダブルタップ操作などであっても良い。たとえば、プレビュー画像に対するダブルタップ操作に応じて上述のようなマーキング動作が行われても良く、あるいは、プレビュー画像に対するダブルタップ操作に応じて上記実施形態のような一旦停止動作（および再開動作）が行われても良い。
【００７３】
また、シングルタップ操作とダブルタップ操作とに応じて、異なる動作が実行されてもよい。たとえば、シングルタップ操作に応じて一旦停止動作（および再開動作）が行われ、ダブルタップ操作に応じてマーキング動作が行われてもよい。あるいは、逆に、ダブルタップ操作に応じて一旦停止動作が行われ、シングルタップ操作に応じてマーキング動作が行われてもよい。
【００７４】
また、上記実施形態においては、スキャン画像の形成動作に関する自動プレビュー動作について説明したが、これに限定されない。たとえば、印刷出力動作（印刷出力画像の形成動作）に関する自動プレビュー動作に対して上記の思想が適用されるようにしてもよい。具体的には、動作制御部１５は、印刷出力部３による複数のページ（格納部５に格納された電子文書の複数のページ）に関する印刷出力動作と並行して、当該複数のページに関する複数のプレビュー画像を自動的に順次に表示する自動プレビューに対して、上記と同様の思想を適用するようにしてもよい。この場合、ジェスチャ操作によって、格納対象画像が変更される代わりに、印刷出力対象画像が変更されれればよい。
【００７５】
なお、印刷プレビュー動作（自動プレビュー）中において図１８に示すような画面（図６と同様の画面）でピンチイン操作が受け付けられる場合には、当該表示中のプレビュー画像ＲＧ３に加えて、その次のプレビュー画像ＲＧ４およびさらにその次のプレビュー画像ＲＧ５もが縮小表示されるようにしてもよい。詳細には、図１９に示すように、プレビュー画像ＲＧ３の次のプレビュー画像ＲＧ４（プレビュー画像ＲＧ３の次の画像形成対象画像とも称される）がプレビュー画像ＲＧ３の右側に縮小表示され、プレビュー画像ＲＧ４の次のプレビュー画像ＲＧ５がプレビュー画像ＲＧ４の右側に縮小表示されるようにしてもよい。
【００７６】
あるいは、表示中のプレビュー画像ＲＧ３に加えて、その前後のプレビュー画像ＲＧ２，ＲＧ４もが縮小表示されるようにしてもよい。詳細には、プレビュー画像ＲＧ３がタッチパネル２５の中央に縮小表示されるともに、プレビュー画像ＲＧ３の次のプレビュー画像ＲＧ４がプレビュー画像ＲＧ３の右側に縮小表示され、プレビュー画像ＲＧ３の前のプレビュー画像ＲＧ２がプレビュー画像ＲＧ３の左側に縮小表示されるようにしてもよい。
【符号の説明】
【００７７】
２  画像読取部
３  印刷出力部
６ｃ  操作パネル部
９  コントローラ
１０  ＭＦＰ（画像形成装置）
２５  タッチパネル
ＰＧ１〜ＰＧ５  ページ
ＳＧ１〜ＳＧ５  スキャン画像（プレビュー画像）
【図１】
2014230211.tif 000003
【図２】
2014230211.tif 000004
【図３】
2014230211.tif 000005
【図４】
2014230211.tif 000006
【図５】
2014230211.tif 000007
【図６】
2014230211.tif 000008
【図７】
2014230211.tif 000009
【図８】
2014230211.tif 000010
【図９】
2014230211.tif 000011
【図１０】
2014230211.tif 000012
【図１１】
2014230211.tif 000013
【図１２】
2014230211.tif 000014
【図１３】
2014230211.tif 000015
【図１４】
2014230211.tif 000016
【図１５】
2014230211.tif 000017
【図１６】
2014230211.tif 000018
【図１７】
2014230211.tif 000019
【図１８】
2014230211.tif 000020
【図１９】
2014230211.tif 000021